(57)【特許請求の範囲】
【請求項１】
一対の接眼光学系と対物光学系との間に設けられる調節レンズを光軸に沿って前後進可能に支持するとともに互いに平行に配置された一対の支持体と、
前記一対の支持体の中心軸線に平行に、かつ前記一対の支持体の中間に位置する中心軸線を中心にして回転可能な中央転輪と、
この中央転輪の回転により回転するとともに外周面に雄ネジを備え、一方の支持体を結合する内部筒体と、
前記内部筒体の雄ネジに螺合する雌ネジを内周面に有すると共に他方の支持体を結合し、かつ外周面に係合片を備えた外部筒体と、
前記中央転輪と同軸に回転可能に形成されるとともに前記係合片を、回動不能及び軸方向移動可能のいずれかに規制する規制部材を備えた視度調節環と、
中央転輪を回転可能及び回転不能のいずれかに規制する中央転輪回転規制部及び視度調節環を回転可能又は回転不能のいずれかに規制する視度調節環回転規制部と、
を有し、
前記中央転輪は、回転操作可能な操作円筒体と、その操作円筒体の内側であって、その中心軸線を共有するように前記操作円筒体の内部に設けられた中心軸体とを備えて成り、
前記中心軸体が挿入される挿入孔を備えると共に前記視度調節環を回転可能に装着する外周面を備えた筒状基体を有し、
前記筒状基体の挿入孔に、前記中央転輪の中心軸体が挿入配置され、
前記筒状基体の外周面に、前記視度調節環が回転可能に装着され、
前記中央転輪回転規制部は、前記筒状基体の外周端部に形成された歯及び前記中央転輪に形成された歯とを歯合させることにより、前記中央輪転を回転不能とし、かつ、前記二つの歯を歯合させないことにより、前記中央輪転を回転可能とし、
前記視度調節環回転規制部は、前記筒状基体の外周に形成された歯及び前記視度調節環に形成された歯を有することを特徴とする双眼鏡。
【発明の詳細な説明】
【技術分野】
【０００１】
この発明は、双眼鏡に関し、更に詳しくは、双眼鏡を持つ手の位置をわざわざ変更することなく焦点調節及び視度調節を行うことができ、しかも調節後にその調節状態を固定することのできる双眼鏡に関する。
【背景技術】
【０００２】
図４に示されるように、従来の双眼鏡１００においては、左右の光学系の視度を同時に調節する中央転輪１０１と、左右の視度差を調整する視度調節環１０２とを備えた、中央繰り出し式の視度調整機構が多く採用されている。この場合、左右どちらかの接眼レンズの光軸と同軸になるように視度調節環１０２が設けられている。そうすると、中央転輪１０１と視度調節環１０２とが離れているので、双眼鏡を持ち続けている両手のそれぞれの指で、例えば右手の指で中央転輪１０１を操作し、左手の指で視度調節環を操作することを余儀なくされ、又は、右手の指で中央転輪１０１を操作してからその指の位置を変えて視度調節環を操作することを余儀なくされる。
【０００３】
１９７０年以降の特許出願につき、特許庁ホームページにアップされている電子図書館にて、視度調節をキーワードにして公開公報を検索すると、以下の２件が見出された。
【０００４】
特許文献１に記載の発明は視度補正機構に関し、その請求項１には、「接眼レンズを保持する接眼レンズ鏡筒と、該接眼レンズ鏡筒の端面を含む一端部が突出するように前記接眼レンズ鏡筒を保持する双眼鏡本体と、前記端面より光軸方向に摺動させながら前記接眼レンズ鏡筒の外側に装着され前記一端部の外周面を被覆する視度調節環と、前記視度調節環を前記接眼レンズ鏡筒に固定する固定手段と、前記視度調節環の光軸周りの回転操作による前記接眼レンズ鏡筒の回転により該接眼レンズ鏡筒を光軸方向に移動させ視度補正を可能にする機構とを有する双眼鏡の視度補正機構において、前記固定手段は、前記接眼レンズ鏡筒の一端部の側面に前記端面との間に顎部を形成するように穿設された切欠き溝と、弾性部材によって前記視度調節環の内周面に一体に形成され、前記摺動時に前記顎部によって弾性変形させられ、前記被覆完了時に弾性復帰して前記切欠き溝内まで侵入する弾性突起とを有し、前記切欠き溝と前記弾性突起との係合により前記視度調節環を前記接眼レンズに光軸方向に固定したことを特徴とする双眼鏡の視度補正機構。」が提案されている。
【０００５】
この特許文献１に記載された双眼鏡においては、前記したように、視度調節環と中央転輪とが相互に離れた位置に設けられているので、前記した問題点を有する。
【０００６】
特許文献２に記載された双眼鏡は、その請求項１に記載されているように、「一対の接眼光学系と対物光学系との間に設けられる調節レンズを光軸に沿って前後進可能に支持する一対の支持体と、
前記一対の支持体を光軸方向に同時に前後進させて焦点調節を行う焦点調節手段と、
一方の支持体を、他方の支持体を不動状態にしたまま、光軸方向に前後進させて視度調節を行う視度調節手段と、
前記焦点調節手段と視度調節手段とを切り替える切替手段とを有する焦点視度調節ユニットを備えてなることを特徴とする双眼鏡。」である。
【０００７】
しかしながら、特許文献２に開示された双眼鏡は、請求項２に記載されたように、「前記焦点調節手段が、固定中心軸体に回転可能に装着され、外周に雄ネジを有する太径部と外周に雄ネジを有する細径部とを有し、調節レンズを支持する一方の支持体を回動不能に前記太径部で支持するリード環と、
前記リード環と螺合により結合され、回転により前記リード環を前後進させる第１回転体とを備え、
前記視度調節手段が、前記リード環に回転可能に支持され、他方の調節レンズを支持する他方の支持体を支持する小リード環を備え、
前記切替手段が、固定中心軸体の軸線に沿って一方向に移動すると、前記小リード環に回転運動伝達不能状態下に前記第１回転体に回転運動を伝達可能にし、前記軸線方向に沿って逆方向に移動すると前記第１回転体の回転運動伝達不能状態下に前記小リード環に回転運動を伝達可能とする第２回転体を備えて成る
前記請求項１に記載の双眼鏡。」といった態様しか示されていない。
【０００８】
【特許文献１】特開平７−２８１１０３号公報
【特許文献２】特開２００６−５３３８１号公報
【発明の開示】
【発明が解決しようとする課題】
【０００９】
この発明が解決しようとする課題は、中央転輪と視度調節環との操作を、操作する指を変えたりすることなく１本又は２本の指で簡単に行うことができ、中央転輪操作で焦点位置を決定し、視度調節環操作で視度位置を決定した後に、簡単に中央転輪と視度調節環とを固定することのできる双眼鏡を提供することにある。
【課題を解決するための手段】
【００１０】
課題を解決するための手段として、
請求項１は、
「  一対の接眼光学系と対物光学系との間に設けられる調節レンズを光軸に沿って前後進可能に支持するとともに互いに平行に配置された一対の支持体と、
前記一対の支持体の中心軸線に平行に、かつ前記一対の支持体の中間に位置する中心軸線を中心にして回転可能な中央転輪と、
この中央転輪の回転により回転するとともに外周面に雄ネジを備え、一方の支持体を結合する内部筒体と、
前記内部筒体の雄ネジに螺合する雌ネジを内周面に有すると共に他方の支持体を結合し、かつ外周面に係合片を備えた外部筒体と、
前記中央転輪と同軸に回転可能に形成されるとともに前記係合片を、回動不能及び軸方向移動可能のいずれかに規制する規制部材を備えた視度調節環と、
中央転輪を回転可能及び回転不能のいずれかに規制する中央転輪回転規制部及び視度調節環を回転可能又は回転不能のいずれかに規制する視度調節環回転規制部と、
を有し、
前記中央転輪は、回転操作可能な操作円筒体と、その操作円筒体の内側であって、その中心軸線を共有するように前記操作円筒体の内部に設けられた中心軸体とを備えて成り、
前記中心軸体が挿入される挿入孔を備えると共に前記視度調節環を回転可能に装着する外周面を備えた筒状基体を有し、
前記筒状基体の挿入孔に、前記中央転輪の中心軸体が挿入配置され、
前記筒状基体の外周面に、前記視度調節環が回転可能に装着され、
前記中央転輪回転規制部は、前記筒状基体の外周端部に形成された歯及び前記中央転輪に形成された歯とを歯合させることにより、前記中央輪転を回転不能とし、かつ、前記二つの歯を歯合させないことにより、前記中央輪転を回転可能とし、
前記視度調節環回転規制部は、前記筒状基体の外周に形成された歯及び前記視度調節環に設けられた歯とからなることを特徴とする双眼鏡。」である。
【発明の効果】
【００１１】
この発明に係る双眼鏡においては、中央転輪回転規制部により中央転輪を回転可能にし、また、視度調節環回転規制部により視度調節環を回転可能にしておく。双眼鏡を両手で持って構えた状態で、例えば指で中央転輪を回転させる。
【００１２】
中央転輪が回転すると中央転輪の回転により回転する雄ネジに螺合する雌ネジを内周面に備える内部筒体に回転力が伝達される。また、この内部筒体の外周面に形成された雄ネジに螺合する雌ネジを有する外部筒体は、その外周面に備わる係合片が規制部材により回動不能に規制されているので、回転不能になっている。そうすると、内部筒体に伝えられた中央転輪の回転力は、中央転輪の回転方向に応じて、内部筒体がその軸線方向に前後進する並進移動力に、変換される。つまり、中央転輪の回転により、内部筒体がその軸線方向に沿って前後進する。
【００１３】
この内部筒体の外周面に形成された雄ネジに螺合する雌ネジを備える外部筒体もまた回転不能になっている。そうすると、内部筒体に伝達された回転力は、内部筒体の並進移動力に変換されて、内部筒体が並進移動する。内部筒体の並進移動は、外部筒体の並進移動をもたらす。外部筒体には、他方の支持体を結合するので、内部筒体と外部筒体との同時並進移動により、一対の支持体が同時に並進移動する。
【００１４】
一対の支持体の同時並進移動により、一対の支持体それぞれに結合された一対の調節レンズが同時に並進移動して焦点調節が行われる。
【００１５】
例えば焦点調節が完了すると、中央転輪回転規制部を操作することにより、中央転輪の回転を不能にする。つまり、中央転輪を固定する。これによって、双眼鏡の操作中に不用意に中央転輪に手が触れるなどして焦点の狂いを生じることがなくなる。
【００１６】
例えば焦点調節の後に視度調節をするとなると、視度調節環を例えば指操作により回動させる。視度調節環が回動すると、規制部材により係合片が回動されて係合片と結合する外部筒体が回動する。外部筒体が回動すると、外部筒体の雌ネジに螺合する内部筒体は外部筒体の回動量に応じて中心軸線に沿って並進移動をする。外部筒体の並進移動により、外部筒体に結合する支持体も並進移動する。外部筒体の並進移動による調節レンズが並進移動して視度調節が行われる。
【００１７】
視度調節が完了すると、例えば指操作により、視度調節環における視度調節環用係合部及び前記視度調節環に設けられた視度調節環用被係合部とを係合させて、視度調節環を回動不能に規制する。これによって、双眼鏡の操作中に不用意に視度調節環に手が触れるなどして視度の狂いを生じることがなくなる。
【００１８】
かくして、この発明によると、中央転輪と視度調節環とが、双眼鏡の一対の光軸の中央であって前記光軸と平行な軸線を有するように同軸かつ近接して配置されているので、この双眼鏡を持っている手の指を変えることなく、指１本又は２本で焦点調節と視度調節とを簡単に操作することができる双眼鏡を提供することができる。
【発明を実施するための最良の形態】
【００１９】
この発明の一例である双眼鏡を図１及び図２に示す。図１に示されるように、この発明の一例である双眼鏡１は、接眼光学系と対物光学系とを内蔵する一方の鏡筒２aと、同様に接眼光学系と対物光学系とを内蔵する他方の鏡筒２ｂと、前記一方の鏡筒２ａと前記他方の鏡筒２ｂとを回動可能に結合して接眼光学系の一方の光軸と接眼光学系の他方の光軸とを観察者の両眼間隔に一致させることができるようにする回動結合部３とを備える。
【００２０】
この双眼鏡は、鏡筒２ａの軸線と鏡筒２ｂの軸線との中間であって前記軸線に平行な仮想的中間軸線上に配置された視度調節環４と中央転輪５とを備える。この視度調節環４と中央転輪５とは仮想的中間軸線を共有する。
【００２１】
図１に示されるように、前記回動結合部３は、一方の鏡筒２ａの略中央部から張り出した装着部と他方の鏡筒２ｂの略中央部から張り出した装着部とを回動可能に装着する基体（図示せず。）を有する。
【００２２】
図２に示されるように、前記基体の接眼部側端部に、仮想的中間軸線Ｘを共有していて円筒状をなす筒状基体６が取り付けられる。この筒状基体６は、前記回動結合部３側の端部を閉鎖する有底円筒体であり、その円筒状外周部６ｃに視度調節環４が装着され、その開口端を閉鎖するように中央転輪５が装着される。
【００２３】
前記筒状基体６の外周面における接眼部側端部周側面に、外周面中央部よりも大きな半径をもって半径方向側に張り出した環状のフランジ６ａが、形成される。このフランジ６ａの中央転輪５に向かう環状面に筒状基体６の外周を一巡するように複数の歯６ｂが、形成される。
【００２４】
この筒状基体６の外周面には、円筒状の視度調節環４が嵌められている。
【００２５】
この視度調節環４は、前記フランジ６ａの外径よりもわずかに大きな内径を有する操作環部４ａと、筒状基体６の円筒状外周部６ｃの中央部に嵌められた装着円筒部４ｂとを有する。前記装着円筒部４ｂの内周面と前記操作環部４ａの内周面とは、環状段差面４ｃで連絡しており、この環状段差面４ｃには、前記複数の歯６ｂに歯合することのできる複数の歯４ｄが、この環状段差面４ｃ上を一巡するように、形成される。この視度調節環４は、前記筒状基体６の円筒状外周部６ｃ上を仮想的中間軸線Ｘに沿って並進移動することができ、前記フランジ６ａの歯６ｂと前記操作環部４ａにおける歯４ｄとが係合すると、この視度調節環４は仮想的中間軸線Ｘを中心にして回動不能になり、前記歯６ｂと歯４ｄとが係合しないときには、この視度調節環４は仮想的中間軸線Ｘを中心にして回動可能になっている。
【００２６】
前記筒状基体６の円筒状外周部６ｃには、その外周面とその内周面とを貫通するボール配設孔６ｄが開設され、このボール配設孔６ｄの中に、付勢部材６ｅ例えば板バネによりこの筒状基体６の内側から外側へと付勢されたボール６ｆが、嵌められている。
【００２７】
前記視度調節環４における装着円筒部４ｂの内周面には、前記ボール６ｆの一部が没入する２つの第１環状溝４ｅ、及び第２環状溝４ｆが形成されている。これによって、前記筒状基体６の円筒状外周部６ｃに嵌められた視度調節環４の例えば第１環状溝４ｅに前記ボール６ｆが嵌り込んでいると、外力と特に加えない限り、この視度調節環４はその位置に固定される。この視度調節環４を筒状基体６の円筒状外周部６ｃの外周面上でスライドさせるように外力を加えると、視度調節環４のスライド移動に応じて前記ボール６ｆが前記付勢部材６ｅの付勢力に抗してボール配設孔６ｄ内に押し込められ、更に視度調節環４が筒状基体６の外側表面をスライドして行き、もう一つの第２環状溝４ｆがボール配設孔６ｄに対応する位置に到ると、ボール６ｆが第２環状溝４ｆの中に付勢部材６ｅの付勢力により押し込められる。この視度調節環４を指で操作する操作者は、前記第２環状溝４ｆにボール６ｆが嵌り込んだことを指で微妙に感じ取ることができるので、指による視度調節環４のスライド操作を止める。そうすると、視度調節環４にはもはや外力が加わらなくなるので、視度調節環４は、第２環状溝４ｆにボール６ｆが嵌り込んだ状態でその位置が固定される。
【００２８】
前記第１環状溝４ｅ、及び第２環状溝４ｆ及びボール配設孔６ｄの形成位置は、この視度調節環４をスライドさせて前記第２環状溝４ｆにボール６ｆが嵌り込んだときに歯４ｃと歯６ｂとが係合し合うように、決定されることができる。
【００２９】
前記筒状基体６には、前記仮想的中間軸線Ｘを中心軸線とする貫通孔６ｇが開設される。この貫通孔６ｇは、筒状基体６の仮想的中間軸線Ｘを軸線とする細径部６ｈと前記仮想的中間軸線Ｘを軸線とする太径部６ｉとが直列に形成されることにより、その内部空間として形成される。太径部６ｉの内径は細径部６ｈの内径よりも大きく設計される。
【００３０】
前記細径部６ｈは、一方の鏡筒２ａの略中央部から張り出した装着部と他方の鏡筒２ｂの略中央部から張り出した装着部とを回動可能に装着する基体（図示せず。）側に設けられる。
【００３１】
この細径部６ｈの周側面には、その内側から外側へと貫通する第２ボール配設孔６ｊが開設される。このボール配設孔６ｊには、ボール６ｋが装着される。このボール６ｋは，第２付勢部材６ｍ例えば板バネにより太径部６ｉの内部に向かって付勢される。
【００３２】
前記細径部６ｈの外周面には、回転筒体７が、仮想的中間軸線Ｘを中心にして回転可能に、嵌装される。この回転筒体７は、その外周面に雄ネジ７ａを有すると共に、その内周面に係合部材７ｂ例えばキーを備える。
【００３３】
前記回転筒体７の外側には、内側筒体８が、嵌められている。この内側筒体８の内周面には雌ネジ８ａが設けられ、この雌ネジ８ａは前記雄ネジ７ａと歯合する。前記内側筒体８の外周面には雄ネジ８ｂが設けられている。この内側筒体８の前記基体（図示せず。）側の端部に円環状フランジ８ｃが半径方向に突出して形成される。この円環状フランジ８ｃには、第１支持体９ａの一端が結合される。
【００３４】
この第１支持体９ａは、筒状基体６に設けられた装着貫通孔６ｒに挿通され、その第１支持体９ａの他端部は、適宜の部材１０を介して又は介さずに、鏡筒２ａ内に設けられている調節レンズ（図示せず。）に結合されている。したがって、この第１支持体９ａが仮想的中間軸線Ｘと同じ軸線方向に沿って、前後進可能になっている。
【００３５】
前記内側筒体８の外側には、外側筒体１１が、配設される。この内側筒体８の雄ネジ８ｂと前記外側筒体１１の内周面に形成された雌ネジ１１ａとが歯合する。
【００３６】
この外側筒体１１の外周面には、係合片１１ｂが設けられる。この係合片１１ｂは、仮想的中間軸線Ｘと平行に形成された長端辺と前記仮想的中間軸線Ｘを中心とする半径方向に沿って形成された短端辺とを有する長方形板状を呈する。この長方形板状をなす係合片１１ｂは、装着円筒部４ｂの内周面に形成された規制部材４ｇに係合される。この規制部材４ｇは、半径方向であって仮想的中間軸線Ｘに向かって開口する係合溝を有する。この係合溝に前記係合片１１ｂが嵌められている。したがって、装着円筒部４ｂを有する視度調節環４を回動させると、前記係合溝を有する規制部材４ｇも回動し、この規制部材４ｇの回動によって前記係合溝に嵌められた係合片１１ｂが回動し、この係合片１１ｂの回動により、内側筒体８が仮想的中間軸線Ｘに沿って前進又は後進する。
【００３７】
一方、この外側筒体１１の下端には、半径方向に張り出した環状の第２フランジ１１ｃが形成される。この第２フランジ１１ｃには、第２支持体９ｂの一端が、結合される。
【００３８】
この第２支持体９ｂは、筒状基体６に設けられた第２装着貫通孔６ｐに挿通され、その第２支持体９ｂの他端部は、適宜の部材１０を介して又は介さずに、他方の鏡筒２ｂ内に設けられている調節レンズ（図示せず。）に結合されている。
【００３９】
前記したように、視度調節環４を回動することにより、内側筒体８が仮想的中間軸線Ｘに沿って前進又は後進することにより、第１支持体９aが仮想的中間軸線Ｘに沿って前進又は後進する。
【００４０】
前記中央転輪５は、図２に示されるように、一端を開口する有底円筒体に形成される。図２においては、底部５ａが上側に位置し、開口部が下側に位置し、円筒状周側部５ｂが前記底部５ａの両端部から下方に延在するように、形成されている。この底部５ａの、前記円筒状周側部５ｂに囲まれた空間に向かう面の中央部には、円柱状突出基部５ｃが形成され、その円柱状突出基部５Ｃの外周には、係合部材７ｂ例えばキーに係合する被係合部材５ｄ例えばキー溝が形成されている。この被係合部材５ｄ例えばキー溝に、回転筒体７の内周面に形成された係合部材７ｂ例えばキーが、嵌められて係合している。つまり、この中央転輪５を回転させると、この被係合部材５ｄ及び係合部材７ｂの係合によって、回転筒体７も回転するように、なっている。
【００４１】
前記円柱状突出基部５ｃの先端部から更に細径の装着ピン５ｅが延在形成され、この装着ピン５ｅが、細径部６ｈにおける貫通孔に、回転可能に嵌入されている。この装着ピン５ｅの先端部には円柱状の太径ヘッド５ｆが形成される。この太径ヘッド５ｆの外径は、前記細径部６ｈの内径よりも大きく設計される。この太径ヘッド５ｆの外周側面には断面半円形をし、かつ前記太径ヘッド５ｆの外周面を一巡するように形成された環状溝が２個形成されている。２個の太径ヘッド５ｆそれぞれを、太径ヘッド５ｆの端面側から、第１環状溝５ｇ及び第２環状溝５ｈと称する。
【００４２】
これら第１環状溝５ｇ及び第２環状溝５ｈには、ボール配設孔６ｊに配設されたボール６ｋの一部が、第２付勢部材６ｍ例えば板バネによる付勢力で押圧された状態で、嵌り込むことができる。
【００４３】
一方、筒状基体６の円筒状外周部６ｃにおける環状端面には歯６ｎが設けられる。前記中央転輪５における底部５ａの、円筒状周側部５ｂ近傍に、環状に列設された歯５ｉが設けられている。この歯６ｎと歯５ｉとは、中央転輪５を仮想的中間軸線Ｘに沿って移動させると、互いに歯合することができるように、形成される。
【００４４】
歯６ｎと歯５ｉとが噛み合わずに相互に離れる状態となっている前記中央転輪５の位置が、前記第１環状溝５ｇにボール６ｋが嵌り込み、これによって中央転輪５に外力を加えなければ中央転輪５がその位置を安定的に保持し、この状態にある中央転輪５を仮想的中間軸線Ｘに沿って移動させて歯６ｎと歯５ｉとが噛み合う状態になったときに、前記第２環状溝５ｈにボール６ｋが嵌り込み、これによって中央転輪５に外力を加えなければ中央転輪５がその位置を安定的に保持することができるように、前記第１環状溝５ｇ及び第２環状溝５ｈの形成位置、及びボール配設孔６ｊの開設位置が、決定される。
【００４５】
次に、以上構成の双眼鏡の作用について、以下に説明する。
【００４６】
操作者が双眼鏡を両手で持って構え、両眼に接眼部を当てる。初期状態つまり焦点調節をする前の状態では、図２に示されるように、歯６ｎと歯５ｉとが噛み合わず、また歯４ｄと歯６ｂとが噛み合わない状態であり、この状態では図３（Ａ）に示されるように、回転結合部３から視度調節環４が離れた状態になっている。この状態のとき、ボール６ｆが第１環状溝４ｅに嵌り込み、ボール６ｋが第１環状溝５ｇに嵌り込んでいるので、この中央転輪５および視度調節環４に仮想的中間軸線Ｘに沿う方向に外力を加えない限り、仮想的中間軸線Ｘを中心にして回動可能となっている以外に、安定した位置にある。
【００４７】
操作者が例えば指で中央転輪５を回転させる。中央転輪５が回転すると、被係合部材５ｄ例えばキー溝に係合部材７ｂ例えばキーが係合しているので、回転筒体７が回転する。外側筒体１１に結合している係合片１１ｂが規制部材４ｇにより回動不能に規制されているので、回転体７の回転により、内側筒体８及び外側筒体１１が一体になって仮想的中間軸線Ｘに沿って例えば図２における下方又は上方に移動する。内側筒体８に結合された第１支持体９ａと外側筒体１１に結合された第２支持体９ｂとが、仮想的中間軸線Ｘに沿って同時に移動する。これにより、焦点調節が行われる。焦点調節が終わると、この中央転輪５を仮想的中間軸線Ｘに沿って押圧する。押圧により中央転輪５における歯５ｉと円筒状外周部６ｃの端面に形成されている歯６ｎとが噛み合うと共に、ボール配設孔６ｊ内に配設されているボール６ｋが第１環状溝５ｇから第２環状溝５ｈへとその没入位置を変える。
【００４８】
歯５ｊと歯６ｎとが噛み合うことにより、中央転輪５は回転不能になり、その位置が固定される。したがって、中央転輪５を不用意に例えば手で触れることがあっても、中央転輪５がその位置を狂わせることがないので、調節された焦点に狂いが生じない。
【００４９】
次いで、視度調節環４を指で操作することにより、視度調節環４を回動させる。視度調節環４が回動するにつれて規制部材４ｇに規制された係合片１１ｂも回動し、外側筒体１１も回動する。通常の場合、この外側筒体１１の回動範囲は仮想的中間軸線Ｘを中心とする中心角で１２０度以内に設計される。
【００５０】
外側筒体１１が回動すると、この外側筒体１１の内周面に形成されている雌ネジ１１ａに噛み合う雄ネジ８ｂを外周面に有する内側筒体８が、回動する。内側筒体８の内周面に形成されている雌ネジ８ａに噛み合う雄ネジ７ａを有する回転筒体７は回転不能になっているので、外側筒体８の回動により内側筒体７が回動しつつ仮想的中間軸線Ｘに沿って移動する。内側筒体７の移動により、第１支持体９ａだけが仮想的中間軸線Ｘに沿って移動し、第２支持体９ｂは移動しない。これによって、第１支持体９ａに連携する調節レンズによる視度調節が完了する。
【００５１】
視度調節が完了すると、視度調節環４を、仮想的中間軸線Ｘに沿って移動させる。視度調節環４を仮想的中間軸線Ｘに沿って移動させることにより、歯４ｄと歯６ｂとを噛み合わせることにより、視度調節環４が回動不能になる。また、ボール６ｋが第１環状溝５ｇから第２環状溝５ｈへとその配設位置を変えて、ボール６ｋが第２環状溝５ｈに収まるので、この視度調節環４は大きな外力が作用しない限り仮想的中間軸線Ｘに沿って移動せず、視度調節環４による視度調節に狂いを生じることがない。
【００５２】
以上、この発明の一例について説明したが、この発明は前記実施の態様に限定されることはなく、様々の設計変更を行うことができる。
【００５３】
この発明における支持体は、双眼鏡における一対の鏡筒内それぞれに存在する接眼光学系と対物光学系との間に設けられる調節レンズを、光軸に沿って前後進可能に支持することができる限り、様々の機械的構造を取り得る。支持体は、一つの部材で形成されていても複数の部材の組合せにより形成されていても良い。この支持体の材質及び寸法は、双眼鏡を用いるフィールド及び状況等に応じて適宜に決定することのできる設計事項である。
【００５４】
この発明における中央転輪は、接眼光学系と対物光学系との間に配設される調節レンズを光軸に沿って前後進可能に支持すると共に互いに平行に配置された一対の支持体の軸線に平行であり、かつ前記一対の支持体の中間に位置する仮想的中間軸線を中心にして回転することができ、この回転によって、一方の支持体に結合される内部筒体を回転させることができる限り、様々の構造を有することができる。この中央転輪は、一つの部材で形成されていても複数の部材の組合せにより形成されていても良い。この中央転輪の材質及び寸法は、双眼鏡を用いるフィールド及び状況等に応じて適宜に決定することのできる設計事項である。
【００５５】
この発明における内部筒体は、中央転輪の回転により回転することができること、及び外周面に雄ネジを有すること、及び視度調節のための調節レンズに結合される支持体を結合することという条件を満たす限り、様々な構造を採用することができる。この内部筒体は、通常、中央転輪が有する仮想的中間軸線を共有する軸線を有する筒状体を呈する。この内部筒体の材質及び寸法は、双眼鏡を用いるフィールド及び状況等に応じて適宜に決定することのできる設計事項である。
【００５６】
この発明における外部筒体は、前記内部筒体の外周面に形成された雄ネジと噛み合う雌ネジを内周面に備えること、視度調節環を回転させると回動可能である一方、前記中央転輪の回転により回転不能であること、及び焦点調節のための調節レンズに結合される他の支持体を結合することという条件を満たす限り、様々な構造を採用することができる。この外部筒体は、通常、中央転輪が有する仮想的中間軸線を共有する軸線を有する筒状体を呈する。この外部筒体の材質及び寸法は、双眼鏡を用いるフィールド及び状況等に応じて適宜に決定することのできる設計事項である。
【００５７】
視度調節環は、内側筒体に結合する支持体に取り付けられた調節レンズを仮想的中間軸線に沿って前後進させることが機能を発揮するために、前記外側筒体を回動させることができる一方、中央転輪が回転しているときには外側筒体を回動ないし回転させないように形成される。この視度調節環の材質及び寸法は、双眼鏡を用いるフィールド及び状況等に応じて適宜に決定することのできる設計事項である。
【００５８】
中央転輪回転規制部は中央転輪の回転を可能にし、また、回転を不能にする機能を有する限り様々の構造を採用することができる。視度調節環回転規制部は視度調節環の回転を可能にし、また、回転を不能にする機能を有する限り様々の構造を採用することができる。
【図面の簡単な説明】
【００５９】
【図１】図１はこの発明の双眼鏡の一例を示す説明図である。
【図２】図２はこの発明の双眼鏡の一例における構造を示す一部断面説明図である。
【図３】図３はこの発明の双眼鏡の一例における中央転輪及び視度調節環を示す説明図であり、図３（Ａ）はいずれも回転可能な状態にある中央転輪及び視度調節環を示す説明図であり、図３（Ｂ）はいずれも回転不能な状態にある中央転輪及び視度調節環を示す説明図である。
【図４】図４は従来の双眼鏡の一例を示す説明図である。
【符号の説明】
【００６０】
１            双眼鏡
２ａ          一方の鏡筒
２ｂ          他方の鏡筒
３            回動結合部
４            視度調節環
４ａ          操作環部
４ｂ          装着円筒部
４ｃ          環状段差面
４ｄ          歯
４ｅ          第１環状溝
４ｆ          第２環状溝
４ｇ          規制部材
５            中央転輪
５ａ          底部
５ｂ          円筒状周側部
５ｃ          円柱状突出基部
５ｄ          被係合部材
５ｅ          装着ピン
５ｆ          太径ヘッド
５ｇ          第１環状溝
５ｈ          第２環状溝
５ｉ          歯
６            筒状基体
６ａ          フランジ
６ｂ          歯
６ｃ          円筒状外周部
６ｄ          ボール配設孔
６ｅ          付勢部材
６ｆ          ボール
６ｇ          貫通孔
６ｈ          細径部
６ｉ          太径部
６ｊ          ボール配設孔
６ｋ          ボール
６ｍ          第２付勢部材
６ｎ          歯
６ｐ          第２装着貫通孔
６ｒ          装着貫通孔
７            回転筒体
７ａ          雄ネジ
７ｂ          係合部材
８            内側筒体
８ａ          雌ネジ
８ｂ          雄ネジ
８ｃ          円環状フランジ
９ａ          第１支持体
９ｂ          第２支持体
１０          適宜の部材
１１          外側筒体
１１ａ        雌ネジ
１１ｂ        係合片
１１ｃ        第２フランジ
Ｘ            仮想的中間軸線
【図１】
0004727635.tif 000002
【図２】
0004727635.tif 000003
【図３】
0004727635.tif 000004
【図４】
0004727635.tif 000005